(57)【要約】【課題】取付作業が容易で簡素な構造の放熱板に駆動素子からの熱を効率よく伝達できるようにする。【解決手段】光ピックアップ装置４は、発光素子と、光学処理部と、光照射部と、受光素子、駆動素子２３と、ピックアップフレーム８と、放熱板２５と、付勢部２７と、を備えている。光学処理部は、発光素子から出射された光及び記録媒体で反射した光を処理する。光照射部は、光学処理部で処理された光を記録媒体に向けて集光する。受光素子は、記録媒体から反射した光を受光可能である。駆動素子は、発光素子を駆動する。ピックアップフレームは、発光素子、光学処理部、光照射部、受光素子、及び駆動素子を搭載する少なくとも一部が合成樹脂製のものである。放熱板は、金属製でありピックアップフレームに沿って設けられている。付勢部は、ピックアップフレームに一体形成され、駆動素子を放熱板に向けて付勢する。【選択図】図４
2010027113.tif 000002
【特許請求の範囲】
【請求項１】
記録媒体に光を照射しその反射光を受光する光ピックアップ装置であって、
前記光を出射する発光素子と、
前記発光素子から出射された光及び前記記録媒体で反射した光を処理する光学処理部と、
前記光学処理部で処理された光を前記記録媒体に向けて集光する光照射部と、
前記記録媒体から反射した光を受光可能な受光素子と、
前記発光素子を駆動するための駆動素子と、
前記発光素子、前記光学処理部、前記光照射部、前記受光素子、及び前記駆動素子を搭載する少なくとも一部が合成樹脂製のピックアップフレームと、
前記ピックアップフレームに沿って設けられた金属製の放熱板と、
前記ピックアップフレームの合成樹脂製の部分に一体形成され、前記駆動素子を前記放熱板に向けて付勢する付勢部と、
を備えた光ピックアップ装置。
【請求項２】
前記付勢部は、前記駆動素子に向けて突出して接触可能であり、厚みが他の部分より厚い接触部を有する、
請求項１に記載の光ピックアップ装置。
【請求項３】
前記ピックアップフレームは、
前記発光素子、前記光学処理部、及び前記受光素子が搭載された金属製の光学ベースと、
前記付勢部が一体形成され、前記光照射部及び前記駆動素子が搭載され、前記光学ベースを支持する合成樹脂製の支持ベースと、を有する、
請求項２に記載の光ピックアップ装置。
【請求項４】
前記放熱板は、前記支持ベースの前記記録媒体に対向可能な面に設けられている、
請求項２又は３に記載の光ピックアップ装置。
【請求項５】
前記付勢部は、板ばね状に形成された片持ち梁を有している、
請求項２から４のいずれか１項に記載の光ピックアップ装置。
【請求項６】
前記記録媒体が回転可能に載置される記録媒体載置部と、
前記記録媒体載置部上に載置され記録媒体を回転させる記録媒体回転部と、
回転する前記記録媒体に対して情報の記録及び再生を行う、請求項１から５のいずれかに記載の光ピックアップ装置と、
前記記録媒体に対して光ピックアップ装置を移動可能に支持する移動機構と、
を備えた記録再生装置。
【発明の詳細な説明】
【技術分野】
【０００１】
本発明は、光ピックアップ装置、特に、記録媒体に情報信号を記録もしくは再生するための光ピックアップ装置及びそれを用いた記録再生装置に関する。
【背景技術】
【０００２】
光学式情報記録媒体である光ディスクにオーディオ信号、文字信号及び映像信号等の情報を記録又は再生する装置として、光学式の記録再生装置が知られている。光学式の記録再生装置には、光学的に情報を記録・再生する光ピックアップ装置が搭載されている。
この光ピックアップ装置には、発光素子として半導体レーザ素子が設けられている。光ピックアップ装置では、半導体レーザ素子から出射されるレーザ光を光ディスクの情報記録面に照射することで、記録マークが記入され情報の記録が行われる。また、光ピックアップ装置から情報記録面に照射されたレーザ光の反射光を受光素子としての光検出器で受光することで、情報の再生が行われる。
光ピックアップ装置には、記録又は再生するための情報信号を電気信号として発光素子に伝達し、光信号を含むレーザ光が出力されるように発光素子を駆動する集積回路からなる駆動素子と、光学系と、が設けられている。光学系は、レーザ光を情報記録面上の所定の位置に微細なスポットで照射する。また、また光ディスクから反射したレーザ光を受光素子の所定の位置に所定のスポットで入射する。受光素子に導かれた光信号は、受光素子により電気信号に変換される。
【０００３】
従来の光ピックアップ装置では、発光素子、受光素子、及び光学系の位置精度を保つため、また発光素子と駆動素子の発熱を効率よく放熱するため、ピックアップフレームは亜鉛ダイキャストなどの金属で形成する場合が一般的である。しかし、低コスト化のため、ピックアップフレーム全体またはその一部を樹脂で形成する光ピックアップ装置が考案されている（例えば、特許文献１参照）。
発光素子はレーザ光を出力するため発熱するが、耐熱温度は通常摂氏７５度程度と低い。最近の高速かつ高密度記録化に伴い、発光素子を駆動するために駆動素子には多くの電流を流す必要があり、この駆動素子からの発熱が増加している。この駆動素子の発熱が発光素子に伝熱し、発光素子の温度を上昇させることがある。また、駆動素子の耐熱温度も通常摂氏１１０度程度のため、駆動素子からの放熱性も考慮する必要がある。特にピックアップレームが樹脂の場合、熱伝導率が金属と比べて低く、駆動素子からの放熱性が悪化する。
【０００４】
そこで、金属製のピックアップフレームにおいて、駆動素子から発生した熱を、ピックアップフレームの上面に設けた金属製の放熱板から放熱する技術が知られている（たとえば、特許文献２参照）。特許文献２の放熱板は、駆動素子と駆動素子が実装されたフレキシブル基板とを挟んで駆動素子を放熱板に向けて押圧する支持部を有している。支持部は弾性を有する金属薄板が断面略Ｌ字状に形成された部材であり、放熱板に固着されている。
特許文献２の放熱板を特許文献１に適用することにより、合成樹脂製のピックアップフレームであっても、駆動素子の放熱性を良好に維持できるようになる。
【特許文献１】特開２００７−１５７２１０号公報
【特許文献２】特開２００７−０２６４８４号公報
【発明の開示】
【発明が解決しようとする課題】
【０００５】
しかし、特許文献２の放熱板を特許文献１の合成樹脂製のピックアップフレームに適用すると、放熱板に向けて駆動素子を押圧するための支持部を放熱板に固着する必要がある。このため、放熱板の構造が複雑になるとともに、放熱板を取り付ける際に駆動素子を支持部とで挟持する必要があり、放熱板の取付作業が困難になる。
本発明の課題は、少なくとも一部が合成樹脂製のピックアップフレームに駆動素子を装着しても、取付作業が容易で簡素な構造の放熱板に駆動素子からの熱を効率よく伝達できるようにすることにある。
【課題を解決するための手段】
【０００６】
第１の発明に係る光ピックアップ装置は、記録媒体に光を照射しその反射光を受光する装置であって、光を出射する発光素子と、光学処理部と、光照射部と、受光素子、駆動素子と、ピックアップフレームと、放熱板と、付勢部と、を備えている。光学処理部は、発光素子から出射された光及び記録媒体で反射した光を処理するものである。光照射部は、光学処理部で処理された光を記録媒体に向けて集光するものである。受光素子は、記録媒体から反射した光を受光可能なものである。駆動素子は、発光素子を駆動するためのものである。ピックアップフレームは、発光素子、光学処理部、光照射部、受光素子、及び駆動素子を搭載する少なくとも一部が合成樹脂製のものである。放熱板は、ピックアップフレームに沿って設けられた金属製のものである。付勢部は、ピックアップフレームの合成樹脂製の部分に一体形成され、駆動素子を放熱板に向けて付勢するものである。
【０００７】
この光ピックアップ装置では、たとえばレーザ半導体素子からなる発光素子が駆動素子により駆動され、光学的な情報が生成され、それが光学処理部及び光照射部を介して記録媒体に照射される。また、記録媒体から反射した光は光学処理部を介して受光素子で受ける。このとき、駆動素子で発生した熱は、駆動素子が付勢部により放熱板に向けて押圧されているため、放熱板を介して外部に放出される。ここでは、駆動素子が付勢部により放熱板に向けて付勢されるので、駆動素子からの熱を効率よく放熱板に伝達できる。また、放熱板ではなく、ピックアップフレームの合成樹脂製の部分に付勢部を一体で形成したので、放熱板に駆動素子を押圧するようなものを設ける必要がなくなる。このため、放熱板の構造が簡素になり放熱板の取付作業が容易になる。
第２の発明に係る光ピックアップ装置は、第１の発明に係る光ピックアップ装置において、付勢部は、駆動素子に向けて突出して接触可能であり、厚みが他の部分より厚い接触部を有する。
【０００８】
第３の発明に係る光ピックアップ装置は、第２の発明に係る光ピックアップ装置であって、ピックアップフレームは、発光素子、光学処理部、及び受光素子が搭載された金属製の光学ベースと、付勢部が一体形成され、光照射部及び駆動素子が搭載され、光学ベースを支持する合成樹脂製の支持ベースと、を有する。
第４の発明に係る光ピックアップ装置は、第２又は第３の発明に係る光ピックアップ装置であって、放熱板は、支持ベースの記録媒体に対向可能な面に設けられている。
第５の発明に係る光ピックアップ装置は、第２から第４のいずれかの発明に係る光ピックアップ装置であって、付勢部は、板ばね状に形成された片持ち梁を有している。
第６の発明に係る記録再生装置は、記録媒体が回転可能に載置される記録媒体載置部と、記録媒体載置部上に載置され記録媒体を回転させる記録媒体回転部と、回転する記録媒体に対して情報の記録及び再生を行う、第１から第５の発明のいずれかに係る光ピックアップ装置と、記録媒体に対して光ピックアップ装置を移動可能に支持する移動機構と、を備えている。
【発明の効果】
【０００９】
本発明によれば、駆動素子が付勢部により放熱板に向けて付勢されるので、駆動素子からの熱を効率よく放熱板に伝達でき、駆動素子の放熱を効率よく行える。また、放熱板ではなく、ピックアップフレームに付勢部を一体で形成したので、放熱板に駆動素子を押圧するようなものを設ける必要がなくなる。このため、放熱板の構造が簡素になり放熱板の取付作業が容易になる。
【発明を実施するための最良の形態】
【００１０】
図１及び図２を用いて、本発明の一実施形態を採用した光学式情報記録再生装置（以下、「記録再生装置」という。）１の構成について説明する。図１に記録再生装置１の概略斜視図、図２に記録再生装置１の部分斜視図を示す。なお、以降の説明では、図１の右斜め方向をＸ軸方向、光ピックアップ装置４のトラッキング方向である図１の左右方向をＹ軸方向、Ｘ軸およびＹ軸に直交する方向（図１の上下方向）をＺ軸方向とし、図１において、右斜め上側をＸ軸方向正側、左側をＹ軸方向正側、上側をＺ軸方向正側とする。
図１に示すように、記録再生装置１は主に、光ディスク（記録媒体の一例）２が回転可能に載置されるディスク載置部６と、ディスク載置部６上に載置され光ディスク２を回転させるスピンドルモータを含むディスク回転部（記録媒体回転部の一例）７と、光ディスク２に対して情報の記録および再生を行う光ピックアップ装置４と、光ディスク２に対して光ピックアップ装置４を移動可能に支持する移動機構５とから構成されている。
【００１１】
移動機構５は主に、光ピックアップ装置４を移動させるために平行に配置された主軸９ａ及び副軸９ｂと、主軸９ａを回転させるモータ（図示せず）を備えた固定台１０とから構成されている。主軸９ａは、固定台１０にＹ軸方向に沿って配置されており、光ピックアップ装置４の後述するピックアップフレーム８に螺合するねじ部（図示せず）を有している。主軸９ａが回転することで、光ピックアップ装置４が光ディスク２の半径方向と平行なＹ軸方向に移動する。主軸９ａは、ピックアップフレーム８がＹ軸方向以外に可動するのを規制する機能も有している。副軸９ｂは、主軸９ａ回りにピックアップフレーム８が回動するのを規制するとともに、ピックアップフレーム８をＹ軸方向に移動可能に支持している。光ピックアップ装置４は主軸９ａに沿って移動するので、光ピックアップ装置４は光ディスク２に対して、外周側および内周側に移動可能である。なお、光ピックアップ装置４を光ディスク２に対して移動させる機構は、上述の機構に限定されない。
【００１２】
＜光ピックアップ装置の構成＞
図３から図５を用いて本発明の一実施形態に係る光ピックアップ装置４の構成について説明する。図３に光ピックアップ装置４の平面図を示す。図４に駆動素子装着部分の断面部分図を示す。図５に駆動素子装着部分の底面図を示す。
光ピックアップ装置４は、光ディスク２にレーザ光を照射しその反射光を受光する。図３に示すように、光ピックアップ装置４は、主に、ピックアップフレーム８と、レーザ光を出射する、たとえば半導体レーザ素子からなる発光素子１１と、光ディスク２（図１）で反射されたレーザ光の反射光を検出して電流に変換する受光素子１３と、発光素子１１のレーザ光の強度を検出する強度センサ１５と、を備えている。
また、光ピックアップ装置４は、発光素子１１から出射されるレーザ光を反射させたり、平行光に変換したり、光ディスク２からの反射光を反射させたりする光学処理部１７と、光学処理部１７で平行光に変換されたレーザ光を光ディスクの情報記録面に集光し、その集光されたレーザ光の焦点を光ディスクの情報記録面に合わせるための対物レンズ１９（光照射部の一例）と、対物レンズ１９を光ディスク２に対してフォーカス方向及びトラッキング方向（Ｙ軸方向）に駆動させるアクチュエータ２１と、を備えている。光学処理部１７は、回折格子、コリメートレンズ、検出レンズ、立上げプリズム等を含んでいる。
【００１３】
さらに、図４に示すように、光ピックアップ装置４は、発光素子１１を駆動する駆動素子２３と、駆動素子２３から発生する熱を放熱するための放熱板２５と、駆動素子２３を放熱板２５に向けて付勢する付勢部２７と、駆動素子２３が実装されたフレキシブル基板２９と、を備えている。
ピックアップフレーム８は、少なくとも一部が合成樹脂製のものである。ピックアップフレーム８は、図３に示すように、この実施形態では、金属製の光学ベース３０と合成樹脂製の支持ベース３２とからなるハイブリッド型のものである。
光学ベース３０は、たとえば、亜鉛やマグネシウムやアルミニウム等を主成分とする合金製であり、ダイカストにより製造された熱伝導性が良好な金属製の部材である。光学ベース３０は、支持ベース３２より僅かに薄い板状部材である。光学ベース３０には、対物レンズ１９以外の光学部品、すなわち、発光素子１１，受光素子１３，光学処理部１７、及び強度センサ１５が支持されている。これらの各部は、楕円で描いた接着剤により光学ベース３０と隙間をあけて固定されている。光学ベース３０の中央部には、光学処理部１７を収納して固定するための光学処理部収納部３０ａが形成されている。光学処理部収納部３０ａのＹ軸方向正側には、強度センサ１５を収納して固定するための強度センサ収納部３０ｂが形成されている。強度センサ１５は、強度センサ収納部３０ｂに楕円で描いた接着剤により強度センサ収納部３０ｂと隙間をあけて固定されている。
【００１４】
支持ベース３２は、ＬＰＣ（液晶ポリマー樹脂）やＰＰＳ（ポリフェニレンサルファイド樹脂）等の高温高湿下でも優れた寸法安定性を有する合成樹脂製の板状部材である。支持ベース３２のＸ軸方向正側の第１端部には、第１軸受４０が形成されている。第１軸受４０は、主軸９ａに案内されるスライド軸受の機能と、主軸９ａに螺合して主軸９ａの回転によりＹ軸方向に移動するナットの機能とを有している。支持ベース３２のＸ軸方向負側の第２端部には、第２軸受４２が形成されている。第２軸受４２は、副軸９ｂに案内されるスライド軸受であり、この実施形態では、組立作業を容易にするためにＵ字状に先端が開口するように形成されている。
支持ベース３２には、対物レンズ１９が搭載されたアクチュエータ２１及び駆動素子２３が搭載されている。支持ベース３２は、アクチュエータ２１を収納して固定するための、たとえば矩形のアクチュエータ収納部４４と、光学ベース３０を収納して固定するための、たとえば矩形の光学ベース収納部４６と、駆動素子２３を収納するための駆動素子収納部４８と、を有している。アクチュエータ収納部４４と光学ベース収納部４６とは、上下面を貫通する開口で構成されている。駆動素子収納部４８は、底部（図４）４８ａを有する凹部で構成されている。
【００１５】
アクチュエータ収納部４４には、対物レンズ１９が搭載されたアクチュエータ２１が隙間をあけて配置されている。アクチュエータ２１は、楕円で描かれた接着剤によりアクチュエータ収納部４４に固定されている。光学ベース収納部４６は、光学ベース３０と隙間をあけて配置されており、その隙間に発光素子１１及び受光素子１３が配置されている。光学ベース収納部４６には、光学ベース３０が楕円で描いた接着剤により固定されている。
駆動素子２３は、半導体集積回路から構成され、記録、あるいは再生するための情報信号を電気信号として発光素子１１に伝達し、発光素子１１から光信号を出力させるためのものである。駆動素子２３は、付勢部２７により放熱板２５に向けて付勢されており、フレキシブル基板２９を介して放熱板２５に当接可能である。
【００１６】
駆動素子収納部４８は、図３から図５に示すように、概ね矩形の凹部であり、その底部４８ａに付勢部２７が一体形成されている。底部４８ａには、図５に示すように、付勢部２７との間に開口部４８ｂが形成されている。付勢部２７は、駆動素子２３に向けて延び板ばね状に形成された１対の片持ち梁２７ａ，２７ｂを有している。片持ち梁２７ａ，２７ｂは、図４において左右対称の形状であり、片持ち梁２７ａ，２７ｂの幅Ｗは、図５において、駆動素子収納部４８の上下方向の長さ（Ｙ軸方向長さ）Ｌの３０％から５０％の長さである。片持ち梁２７ａ，２７ｂは、駆動素子２３に向けて突出して接触可能であり、厚みが他の部分より厚い接触部２７ｃ，２７ｄを先端部分に有している。接触部２７ｃ，２７ｄは、駆動素子２３に接触可能にそれぞれＬ字状に突出して形成されている。接触部２７ｃ，２７ｄは、Ｘ軸方向に間隔を隔てて配置されており、接触部２７ｃ，２７ｄの間には空隙部２８が形成されている。付勢部２７の接触部２７ｃ，２７ｄは、駆動素子２３に接触可能であり、厚みが他の部分より厚い。また、付勢部２７の基端部２７ｅ，２７ｆは板状であり、底部４８ａから斜め上方に立ち上がっている。基端部２７ｅ，２７ｆの形成部分の両側に開口部４８ｂが形成されている。付勢部２７の中間部２７ｇ，２７ｈは板状であり、基端部２７ｅ，２７ｆと接触部２７ｃ，２７ｄを結ぶように底部４８ａと平行に延びている。接触部２７ｃ，２７ｄは、常温では駆動素子２３の下面と接触又は僅かな隙間をあけて配置され、駆動素子２３の発熱により温度上昇すると膨張して駆動素子２３を放熱板２７に向けて上方に押圧（付勢）する。
【００１７】
このように接触部２７ｃ，２７ｄを基端部２７ｅ，２７ｆや中間部２７ｇ，２７ｈより厚く形成することにより、駆動素子２３の熱による厚肉の接触部２７ｃ，２７ｄの熱膨張が薄肉の他の部分より大きくなり、温度が上がるにつれて付勢力が増加する。これにより、駆動素子２３の非動作時には付勢力を小さく、動作時には付勢力を大きくすることができる。このため、発熱量が多い駆動素子２３の熱が金属製の放熱板２５に効率よく伝達される。
また、合成樹脂製の支持ベース３２と一体形成した付勢部２７のクリープによる付勢力低下を低減し、長期使用においても安定して放熱板２７に駆動素子２３の熱を放熱することができる。
さらに、付勢部２７を板バネ状に形成された片持ち梁２７ａ，２７ｂで構成し、接触部２７ｃ，２７ｄをＬ字状に形成したので、駆動素子２３を付勢した際に生じる支持ベース３２の変形を付勢部２７周辺の上方向（Ｚ軸方向）の付勢力のみとして、付勢部２７の長手方向（Ｘ軸方向）の変形が生じにくくなる。このため、変形を局部的にとどめることができ、支持ベース３２の変形による光学ベース３０の位置ずれを防止できる。
【００１８】
さらにまた、接触部２７ｃ，２８ｄの厚みが他の部分より厚いとともに接触部２７ｃ，２７ｄの間に空隙部２８を設けたので、駆動素子２３に接触する接触部２７ｃ，２８ｄの接触面積が小さくなる。このため、駆動素子２３から付勢部２７を介して支持ベース３２に伝達される熱量が低減する。これにより、支持ベース３２を介して発光素子１１に伝達される熱量が低減される。
放熱板２５は、たとえば、ステンレス合金や銅合金やアルミニウム合金等の比較的熱伝導率が高い金属製の薄板部材であり、フレキシブル基板２９を押さえる機能も有している。放熱板２５は、光ディスク（図示せず）に対向可能なピックアップフレーム８の上面に設けられている。この実施形態では、放熱板２５は、ピックアップフレーム８の二点鎖線のハッチングで示す領域に配置されている。具体的には、光学ベース３０、発光素子１１、受光素子１３、駆動素子２３の上方を覆うようにピックアップフレーム８の図３略半分の領域に沿って設けられている。これにより、放熱板２５は、光ディスクが回転することにより生じる旋回流Ｒにより冷却されて効率よく放熱することができる。
【００１９】
＜記録再生装置の動作＞
図１から図３を用いて、記録再生装置１の動作について説明する。
図１および図２に示すように、記録／再生時には、ディスク回転部７により光ディスク２が回転駆動される。光ピックアップ装置４からはレーザ光が情報記録面に対して出射される。光ピックアップ装置４は、移動機構５により光ディスク２に対して半径方向と平行な方向に駆動される。以上の構成により、光ピックアップ装置４からのレーザ光の照射位置を変更することができる。
また、光ピックアップ装置４の内部では、図３に示すように、駆動素子２３により駆動された発光素子１１から信号で変調されたレーザ光がＸ軸方向正側に出射される。このレーザ光は、光学処理部１７により平行光にされる。平行光にされたレーザ光は、Ｘ軸方向正側に進み、Ｚ軸方向正側に折り曲げられ、対物レンズ１９に入射される。対物レンズ１９は、アクチュエータ２１によりフォーカス方向およびトラッキング方向に移動可能であり、対物レンズ１９によりレーザ光が光ディスク２の情報記録面に集光され、情報記録面に記録マークが形成されることで情報が記録される。
【００２０】
光ディスク２上に記録された情報を再生する場合は、情報を記録する場合と同様に、情報記録面にレーザ光を照射する。そして、情報記録面で反射したレーザ光は、対物レンズ１９、光学処理部１７を介して受光素子１３に入射される。受光素子１３に入射されたレーザ光は、受光素子１３により電流値に変換され、その電流値に基づいて情報記録面に記録されている情報が再生される。
＜作用効果＞
（Ａ）光ピックアップ装置４において、駆動素子２３が動作していると、駆動素子２３で発生した熱が付勢部２７に伝達され付勢部２７が膨張する。これにより、駆動素子２３が放熱板２５に向けて付勢されるので、駆動素子２３がフレキシブル基板２９を介して放熱板に密着する。このため、駆動素子２３からの熱を効率よく放熱板２５に伝達でき、駆動素子２３の放熱を効率よく行える。
【００２１】
また、放熱板２５ではなく、ピックアップフレーム８に付勢部２７を一体で形成したので、放熱板２５に駆動素子２３を押圧するようなものを設ける必要がなくなる。このため、放熱板２５の構造が簡素になり放熱板２５の取付作業が容易になる。
（Ｂ）付勢部２７が、駆動素子２３に向けて突出し、かつ厚みが他の部分より厚い接触部２７ｃ，２７ｄを有しているので、駆動素子２３の熱による厚肉の接触部２７ｃ，２７ｄの熱膨張が薄肉の他の部分より大きくなり、温度が上がるにつれ付勢力が増加する。これにより、駆動素子２３の非動作時には付勢力を小さく、動作時には付勢力を大きくすることができる。この結果、合成樹脂製の支持ベース３２と一体形成した付勢部２７のクリープによる付勢力低下を低減し、長期使用においても安定して放熱板２５に駆動素子２３の熱を放熱することができる。
【００２２】
（Ｃ）ピックアップフレーム８が、発光素子１１，光学処理部１７、及び受光素子１３が搭載された金属製の光学ベース３０と、対物レンズ１９及び駆動素子２３が搭載され、光学ベース３０を支持する合成樹脂製の支持ベース３２とで構成されている。このため、熱による変形が少ないとともに、放熱性能が高い金属製の光学ベース３０に精度が特に必要な光学部品を搭載でき、かつその他の部品を合成樹脂製の支持ベース３２に搭載するこができる。これにより、光学部品の位置精度を維持しつつピックアップフレーム８の軽量化及び低コスト化を図ることができる。しかも、光学ベース３０と支持ベース３２との間に隙間を設けることにより、支持ベース３２から光学ベース３０に熱が伝達しにくくなり、支持ベース３２に設けられた駆動素子２３からの熱が発光素子１１に伝達されにくくなる。
【００２３】
（Ｄ）放熱板２５が光ディスクと対向可能な面に設けられているので、光ディスクの回転により生じる旋回流Ｒにより放熱板２５が冷却され、付勢部２７により付勢された駆動素子２３をさらに効率よく放熱できる。
（Ｅ）付勢部２７が板ばね形状に形成された片持ち梁２７ａ，２７ｂで構成されているので、駆動素子２３を付勢した際に生じる支持ベース３２の変形を付勢部２７周辺の上方向（Ｚ軸方向）の付勢力のみとして、付勢部２７の長手方向（Ｘ軸方向）の変形を生じにくくなる。このため、変形を局部的にとどめることができ、支持ベース３２の変形による光学ベース３０の位置ずれを防止できる。
＜他の実施形態＞
（ａ）前記実施形態では、ピックアップフレーム８が金属製の光学ベース３０と合成樹脂製の支持ベース３２とからなるハイブリッド型のものであったが、ピックアップベースは、少なくとも一部（たとえば、駆動素子２３を搭載する部分）が合成樹脂製であればよい。
【００２４】
図６において、ピックアップフレーム１０８は、全体が合成樹脂製のものになっている。ピックアップフレーム１０８は、ＬＰＣ（液晶ポリマー樹脂）やＰＰＳ（ポリフェニレンサルファイド樹脂）等の高温高湿下でも優れた寸法安定性を有する合成樹脂製の板状部材である。ピックアップフレーム１０８には、発光素子１１，受光素子１３，光学処理部１７、強度センサ１５、対物レンズ１９が搭載されたアクチュエータ２１、及び駆動素子２３が搭載されている。駆動素子２３を除くこれらの各部は、楕円で描いた接着剤によりピックアップフレーム１０８と隙間をあけて固定されている。ピックアップフレーム１０８には、光学処理部１７を収納して固定するための光学処理部収納部１３０ａが形成されている。光学処理部収納部１３０ａのＹ軸方向正側には、強度センサ１５を収納して固定するための強度センサ収納部１３０ｂが形成されている。また、ピックアップフレーム１０８には、光学処理部収納部１３０ａのＸ軸方向正側にアクチュエータ２１を収納して固定するための、たとえば矩形のアクチュエータ収納部１４４が形成されている。光学処理部収納部１３０ａのＹ軸方向Ｖ負側には、駆動素子２３を収納するための駆動素子収納部１４８が形成されている。駆動素子収納部１４８を除く各収納部１３０ａ，１３０ｂ，１４４は、上下面を貫通する開口で構成されている。
【００２５】
ピックアップフレーム１０８のＸ軸方向正側の第１端部には、第１軸受４０が形成されている。第１軸受４０は、主軸９ａに案内されるスライド軸受の機能と、主軸９ａに螺合して主軸９ａの回転によりＹ軸方向に移動するナットの機能とを有している。ピックアップフレーム１０８のＸ軸方向負側の第２端部には、第２軸受４２が形成されている。第２軸受４２は、副軸９ｂに案内されるスライド軸受であり、組立作業を容易にするためにＵ字状に先端が開口するように形成されている。
付勢部１２７は、前記実施形態と同様な構成であり、１対の片持ち梁を有している。
その他の構成及び光ピックアップ装置１０４の動作は前記実施形態と同様なため説明を省略する。
このような構成では、ピックアップフレーム１０８が合成樹脂製であるので、コストの削減を図るとともに軽量化を図ることができる。また、付勢部２７が前記実施形態と同様に板ばね形状に形成された片持ち梁２７ａ，２７ｂで構成されているので、駆動素子２３を付勢した際に生じる支持ベース３２の変形を付勢部２７周辺の上方向（Ｚ軸方向）の付勢力のみとして、付勢部２７の長手方向（Ｘ軸方向）の変形が生じにくくなる。このため、変形を局部的にとどめることができ、ピックアップフレーム１０８の変形によってピックアップフレーム１０８に搭載された光学部品の位置ずれが生じにくくなる。これにより、光学部品の位置ずれによる光学特性の劣化を防止できる。
【００２６】
（ｂ）図７に示すように、付勢部２７は、片持ち梁２７ａ，２７ｂの基端部２７ｅ，２７ｆの立ち上がり部分に、断面がＶ字形状の切り欠き部２７ｉ，２７ｊをそれぞれ形成してもよい。
このような切り欠き部２７ｉ，２７ｊを片持ち梁２７ａ，２７ｂに形成すると、付勢部２７の変形がさらに局部的なものになり、合成樹脂製の支持ベース３２又はピックアップフレーム１０８の変形をさらに防止でき、前記実施形態のように支持ベース３２が光学ベース３０を支持する場合は、光学ベース３０の位置ずれを防止できる。また、他の実施形態（ａ）のようにピックアップフレーム１０８全体が合成樹脂製の場合は、ピックアップフレーム１０８全体の変形を防止することができ、それに搭載される光学部品の位置ずれを防止できる。
【００２７】
（ｃ）前記実施形態では、付勢部２７を１対の片持ち梁２７ａ，２７ｂで構成したが、本発明の付勢部はこれに限定されない。
図８において、光ピックアップ装置２０４の付勢部２２７は、合成樹脂製の支持ベース３２又はピックアップフレーム１０８に形成された駆動素子収納部２４８の底部２４８ａに円錐台形状に上方に凹んで形成されている。付勢部２２７は、駆動素子２３に向けて突出して接触可能な接触部２２７ｃを中心部の上面に有している。接触部２２７ｃは厚みが他の部分より厚くなるように上方に突出して形成されている。
このような構成の付勢部２２７は、駆動素子２３が動作していると、駆動素子２３から発熱した熱により付勢部２２７が膨張する。これにより、駆動素子２３が放熱板２５に向けて付勢されるので、駆動素子２３からの熱を効率よく放熱板２５に伝達でき、駆動素子２３の放熱を効率よく行える。また、放熱板２５ではなく、支持ベース３２又はピックアップフレーム１０８に付勢部２７を一体で形成したので、放熱板２５に駆動素子２３を押圧するようなものを設ける必要がなくなる。このため、放熱板２５の構造が簡素になり放熱板２５の取付作業が容易になる。
【００２８】
また、付勢部２２７が駆動素子２３に向けて突出し、厚みが他の部分より厚い接触部２２７ｃを有しているので、駆動素子２３の熱による厚肉の接触部２２７ｃｄの熱膨張が薄肉の他の部分より大きくなり、温度が上がるにつれ付勢力が増加する。これにより、駆動素子２３の非動作時には付勢力を小さく、動作時には付勢力を大きくすることが可能になる。この結果、合成樹脂製の支持ベース３２又はピックアップフレーム１０８と一体形成した付勢部２２７のクリープによる付勢力低下を低減し、長期使用においても安定して放熱板２５に駆動素子２３の熱を伝達することが可能となる。
さらに付勢部２２７の形状が単純な形状であるので、付勢部２２７を型成形により形成しやすくなる。
【産業上の利用可能性】
【００２９】
本発明に係る光ピックアップ装置および光学式情報記録再生装置は、少なくとも一部が合成樹脂製のピックアップフレームにおいて、ピックアップフレームに駆動素子を装着しても、取付作業が容易で簡素な構造の放熱板に駆動素子からの熱を効率よく伝達できる。このため、小型化が必要とされる、あるいは、高熱化しやすい、大容量の記録媒体からの読み出しや、高倍速記録を行う光学式情報記録再生装置の関連分野において有用であり、かつ、実施することができる。
【図面の簡単な説明】
【００３０】
【図１】本発明の一実施形態に係る記録再生装置の概略斜視図。
【図２】本発明の一実施形態に係る記録再生装置の一部の概略斜視図。
【図３】本発明の一実施形態に係る光ピックアップ装置の平面図。
【図４】その駆動素子収納部に形成された付勢部の断面拡大部分図。
【図５】駆動素子収納部に形成された付勢部の底面図。
【図６】他の実施形態の光ピックアップ装置の平面図。
【図７】さらに他の実施形態の駆動素子収納部に形成された付勢部の断面拡大部分図。
【図８】さらに他の実施形態の駆動素子収納部に形成された付勢部の断面拡大部分図。
【符号の説明】
【００３１】
１  記録再生装置
２  光ディスク（光学式情報記録媒体）
４，１０４  光ピックアップ装置
６  記録媒体載置部
７  ディスク回転部（記録媒体回転部の一例）
８，１０８  ピックアップフレーム
１１  発光素子
１７  光学処理部
１９  対物レンズ（光照射部の一例）
２３  駆動素子
２５  放熱板
２７，２２７  付勢部
２７ａ，２７ｂ  片持ち梁
２７ｃ，２７ｄ、２２７ｃ  接触部
３０  光学ベース
３２  支持ベース
【図１】
2010027113.tif 000003
【図２】
2010027113.tif 000004
【図３】
2010027113.tif 000005
【図４】
2010027113.tif 000006
【図５】
2010027113.tif 000007
【図６】
2010027113.tif 000008
【図７】
2010027113.tif 000009
【図８】
2010027113.tif 000010